(57)【特許請求の範囲】
【請求項１】
画像情報を入力するための画像情報入力手段と、
入力された画像情報に対する倍率変換情報を設定するための倍率変換情報設定手段と、該倍率変換情報設定手段により設定されている倍率変換情報に基づき、前記画像情報入力手段により入力された画像情報に対して画像処理を施すための画像処理手段と、
前記倍率変換情報設定手段により設定されている倍率変換情報と入力された画像情報のサイズを、前記画像情報毎に記憶する画像入力テーブルと、
入力された画像情報を記憶する画像情報記憶手段と、
該画像情報記憶手段に記憶した画像情報の記憶されている位置に関する情報を記憶する画像処理テーブルと
を備えた画像処理装置において、
前記画像情報記憶手段に記憶した画像情報に対して前記画像処理手段による画像処理を施し、画像情報毎に画像処理が完了した旨を示す処理完了情報を前記記憶されている位置に関する情報に対応付けて前記画像処理テーブルに記憶すべくなしてあり、
前記画像入力テーブルは、画像情報の転送要求があった旨を示す入力要求情報及び１ページ分の画像情報の入力が完了した旨を示す入力完了情報を記憶すべくなしてあることを特徴とする画像処理装置。
【請求項２】
画像情報を入力するための画像情報入力手段と、
入力された画像情報に対する倍率変換情報を設定するための倍率変換情報設定手段と、該倍率変換情報設定手段により設定されている倍率変換情報に基づき、前記画像情報入力手段により入力された画像情報に対して画像処理を施すための画像処理手段と、
前記倍率変換情報設定手段により設定されている倍率変換情報と入力された画像情報のサイズを、前記画像情報毎に記憶する画像入力テーブルと、
入力された画像情報を記憶する画像情報記憶手段と、
該画像情報記憶手段に記憶した画像情報の記憶されている位置に関する情報を記憶する画像処理テーブルと
を備えた画像処理装置において、
前記画像情報記憶手段に記憶した画像情報に対して前記画像処理手段による画像処理を施し、画像情報毎に画像処理が完了した旨を示す処理完了情報を前記記憶されている位置に関する情報に対応付けて前記画像処理テーブルに記憶すべくなしてあり、
画像情報の出力に関する情報をページ単位で記憶してある画像出力テーブルを備え、
該画像出力テーブルは、画像情報の出力要求があった旨を示す出力要求情報及び画像情報の出力が完了した旨を示す出力完了情報を記憶すべくなしてあることを特徴とする画像処理装置。
【請求項３】
前記画像情報が原稿画像であり、前記画像情報入力手段が原稿画像を読み取るための原稿画像読み取り手段であることを特徴とする請求項１又は２記載の画像処理装置。
【請求項４】
画像を出力するための画像出力手段を備え、前記画像入力テーブルに記憶されている情報に基づいて画像処理を行い、前記画像出力手段から画像を出力することを特徴とする請求項１乃至３のいずれか一項に記載の画像処理装置。
【発明の詳細な説明】
【０００１】
【発明の属する技術分野】
本発明は、スキャナなどの原稿画像読み取り装置を備え、原稿画像読み取り装置などから入力された画像情報に対して画像処理を施し、所望する画像表現の画像情報に変換して出力する画像処理装置であって、入力された画像毎の画像処理内容および画像処理後の画像情報を管理することのできる装置に関する。
【０００２】
【従来の技術】
従来、原稿画像読み取り部から入力された原稿画像に対し、装置が備える種々の画像処理機能の中から選択された所定の処理を行った後、プリンタ部から処理後の画像を出力することができるという画像処理装置が知られているが、これら装置においては、大量の原稿を効率よく短時間で処理したいと言った要望が強く、大量の原稿を自動的に処理して出力するデジタル複写機等が開発されている。
【０００３】
また、原稿読み取り部より入力された原稿画像をプリンタ部から出力するだけではなく、外部機器から入力された画像をファクシミリ機能やプリンタ機能を使って出力することができる複合デジタル複写機が、商品化並びに販売されている。
【０００４】
さらに、これら画像処理装置においては、基本仕様として高速化、高画質化、多機能化、低コスト化、低消費エネルギー化等が求められると共に、原稿画像の読み取りから入力画像の出力までの処理や例えばジャムリカバリー等のトラブルからの復帰を迅速且つ的確に遂行することも強く求められている。
【０００５】
例えば、デジタル複写機に両面原稿自動搬送装置を設置して作業能率向上の要請に対応する場合があるが、両面原稿自動搬送装置において原稿読み取り時にジャムが発生すると、ジャムをクリアした後のジャムリカバリがスムーズに行われることが作業効率を向上させる上で重要なポイントとなる。
【０００６】
そして仮にトラブル復帰がスムーズに行われない場合、作業能率の向上や信頼性を著しく損なうこととなることから、トラブル復帰をスムーズに行うための様々な対策がこれまで考案されてきている。
【０００７】
例えば、特開平２−６６５８６号公報では、ジャムが発生した場合のリカバリ方式に関し、スタート時の原稿のサイドを見て次にコピーするサイドと異なる場合、原稿を自動反転することにより、オペレータがいちいち原稿をセツトし直す繁雑さの解消を図る画像処理装置が開示されている。
【０００８】
【発明が解決しようとする課題】
特開平２−６６５８６号公報に記載の画像処理装置によれば、プラテン上にセットされている原稿サイドを検出する原稿サイド検出部と、検出した原稿サイドと次のコピーの原稿サイドとを比較し、異なる場合に原稿を反転する原稿リカバリ処理部と排出原稿に対するコピーが終了したか否かを判断する排出原稿コピー終了判断部を備えており、スタート時の原稿のサイドを見て今度コピーするサイドと異なる場合は、原稿を反転し、またコピー用紙と原稿とを対応づけて戻し枚数を算出することによりマシン停止時、原稿パージが必要かどうかを判断するので、オペレータがいちいち原稿をセツトし直す繁雑さが解消され、ジャムが発生した場合のリカバリ方式に関し、作業効率を向上させる点で有効なものである。
【０００９】
しかしながら、上述の通り、これら画像処理装置においては、大量の原稿画像に加え、外部機器からの入力画像を効率よく処理することも要望されているので、各種モードにおける種々のトラブルから復帰できるよう、従来よりも複雑な制御管理手法に基づき入力画像を処理する必要が生じる。
【００１０】
即ち、同公報記載の画像処理装置によれば、コピー用紙と原稿を対応づけたジャムリカバリ等の作業能率向上について言及されているが、例えばファックス画像やパソコン画像を入力された場合のトラブル等にも対応できる入力画像の管理手法について記載されておらず、トラブル発生時にリカバリするのに依然として時間を要するといった問題があった。
【００１１】
また、大量の原稿を順次読み取りながら処理している際に、原稿自動搬送装置において搬送異常が発生したり、複数のモードで入力された画像を順次出力している際に、画像出力部でジャムなどのトラブルが発生すると、原稿画像の読み取りもしくは原稿画像の出力工程において正確なジャムリカバリを行わなければ、それまでに処理された画像との関係が壊れてしまい、画像に対して再度読み取りや画像処理を行う等の無駄な処理が必要となる場合もあり、従来の管理方法では作業能率の向上が図れないという問題があった。
【００１２】
さらに、上記管理手法を実施するための制御部分は、管理しない場合と比べて複雑なものとなるので、作業効率を低下させないためには、処理能力の高いプロセッサやそれに伴う周辺回路等を用いる必要が生じ、製品コストが上昇してしまうという問題があった。
【００１３】
本発明は、かかる問題点を鑑みてなされたものであって、画像処理後の画像情報を入力画像単位、さらには一連の入力画像単位で管理するテーブルを備えた画像処理装置を提供することにより、装置のコスト上昇を最小限としながら、原稿画像の読み取りから入力された画像の出力までの処理を確実に遂行すると共に、通常の搬送ジャム以外の例えばファックス画像やパソコン画像の入出力時にスキャナトラブルや搬送ジャム、プリンタ部トラブル等の各種トラブルが発生した場合等においても、迅速的確なリカバリを行うための原稿情報管理手段を備えた信頼性の高い画像処理装置を提供するものである。
【００１４】
【課題を解決するための手段】
請求項１記載の画像処理装置は、画像情報を入力するための画像情報入力手段と、入力された画像情報に対する倍率変換情報を設定するための倍率変換情報設定手段と、該倍率変換情報設定手段により設定されている倍率変換情報に基づき、前記画像情報入力手段により入力された画像情報に対して画像処理を施すための画像処理手段と、前記倍率変換情報設定手段により設定されている倍率変換情報と入力された画像情報のサイズを、前記画像情報毎に記憶する画像入力テーブルと、入力された画像情報を記憶する画像情報記憶手段と、該画像情報記憶手段に記憶した画像情報の記憶されている位置に関する情報を記憶する画像処理テーブルとを備えた画像処理装置において、前記画像情報記憶手段に記憶した画像情報に対して前記画像処理手段による画像処理を施し、画像情報毎に画像処理が完了した旨を示す処理完了情報を前記記憶されている位置に関する情報に対応付けて前記画像処理テーブルに記憶すべくなしてあり、前記画像入力テーブルは、画像情報の転送要求があった旨を示す入力要求情報及び１ページ分の画像情報の入力が完了した旨を示す入力完了情報を記憶すべくなしてあることを特徴とする。
【００１５】
請求項２記載の画像処理装置は、画像情報を入力するための画像情報入力手段と、入力された画像情報に対する倍率変換情報を設定するための倍率変換情報設定手段と、該倍率変換情報設定手段により設定されている倍率変換情報に基づき、前記画像情報入力手段により入力された画像情報に対して画像処理を施すための画像処理手段と、前記倍率変換情報設定手段により設定されている倍率変換情報と入力された画像情報のサイズを、前記画像情報毎に記憶する画像入力テーブルと、入力された画像情報を記憶する画像情報記憶手段と、該画像情報記憶手段に記憶した画像情報の記憶されている位置に関する情報を記憶する画像処理テーブルとを備えた画像処理装置において、前記画像情報記憶手段に記憶した画像情報に対して前記画像処理手段による画像処理を施し、画像情報毎に画像処理が完了した旨を示す処理完了情報を前記記憶されている位置に関する情報に対応付けて前記画像処理テーブルに記憶すべくなしてあり、画像情報の出力に関する情報をページ単位で記憶してある画像出力テーブルを備え、該画像出力テーブルは、画像情報の出力要求があった旨を示す出力要求情報及び画像情報の出力が完了した旨を示す出力完了情報を記憶すべくなしてあることを特徴とする。
【００１６】
請求項１又は２記載の画像処理装置によれば、入力される画像情報毎に適切な画像処理が行えるように制御することができると共に、画像情報の画像処理が確実に行えなかった画像情報に対して無駄な処理を行わないように入力画像毎に制御できる。また、通常の搬送ジャム以外の例えばファックス画像やパソコン画像の入出力時にスキャナトラブルや搬送ジャム、プリンタ部トラブル等の各種トラブルが発生した場合等においても、迅速的確なリカバリを行うことができる。
【００１７】
請求項３記載の画像処理装置は、前記画像情報が原稿画像であり、前記画像情報入力手段が原稿画像を読み取るための原稿画像読み取り手段であることを特徴とする。
【００１８】
請求項３記載の画像処理装置によれば、例えばデジタル複写機等の画像読み取り部を有する機器の場合に上記制御を行うことができる。
【００１９】
請求項４記載の画像処理装置は、画像を出力するための画像出力手段を備え、前記画像入力テーブルに記憶されている情報に基づいて画像処理を行い、前記画像出力手段から画像を出力することを特徴としており、複数の画像情報が入力されたとしても、入力された画像情報に対して適切な画像処理が行えると共に、入力された画像情報毎に出力管理することが可能となる。
【００２１】
【発明の実施の形態】
本発明の実施形態として画像処理装置がデジタル複写機である場合について、以下図面を参照して説明を行う。
【００２２】
なお、本実施例の説明はデジタル複写機に本発明を適用した場合のみを記載しているが、本発明はデジタル複写機のみに適用されるものではなく、原稿画像読み取り装置などから入力された画像情報に対して画像処理を施す画像処理装置や、加えて所望する画像表現の画像情報に変換して出力する画像処理装置であって、入力された画像毎の画像処理内容および画像処理後の画像情報の管理が必要な装置全般に適用可能であることは言うまでもない。
【００２３】
まず本実施例で説明するデジタル複写機は、例えば複写モード、プリンタモード、ファックスモード等を有しており、図１はデジタル複写機の全体構成を表す断面図を示し、図１を使ってデジタル複写機全体構成を説明する。
【００２４】
デジタル複写機３０は大きく分けてスキャナ部３１と、レーザ記録部３２から構成されている。
【００２５】
スキャナ部３１は透明ガラスからなる原稿載置台３５、原稿載置台３５上へ自動的に原稿を供給搬送するための両面自動原稿送り装置（ＡＤＦ）３６、及び原稿載置台３５上に載置された原稿の画像を走査して読み取るための原稿画像読み取りユニット、すなわちスキャナユニット４０から構成されている。
【００２６】
このスキャナ部３１にて読み取られた原稿画像は、画像情報として後述するメイン処理ボードとサブ画像処理ボードへと送られ、画像情報に対して所定の画像処理が施される。
【００２７】
ＡＤＦ３６には、備えられた図示しない原稿トレイ上に複数枚の原稿を一度にセットしておき、セットされた原稿を１枚ずつ自動的にスキャナーユニット４０の原稿載置台３５上へ給送する装置である。
【００２８】
またＡＤＦ３６は、オペレーターの選択に応じて原稿の片面または両面をスキャナユニット４０に読み取らせるように、図示しない片面原稿のための搬送経路、両面原稿のための搬送経路、搬送経路切り換え手段、各部を通過する原稿の状態を把握し管理するセンサー群、および制御部などから構成されている。このＡＤＦ３６については、従来から多くの出願、商品化がなされているので、これ以上の説明は省略する。
【００２９】
原稿載置台３５上の原稿の画像を読み取るためのスキャナ部３１から構成されるスキャナユニット４０は、原稿面上を露光するランプリフレクターアセンブリ４１と、原稿からの反射光像を光電変換素子（ＣＣＤ）４４に導くための原稿からの反射光を反射する第１走査ミラー４２ａを搭載してなる第１走査ミラーユニット４０ａ、また第１走査ミラーユニット４０ａからの反射光像をＣＣＤ４４に導くための第２、第３反射ミラー４２ｂ、４２ｃを搭載してなる第２走査ミラーユニット４０ｂ、原稿からの反射光像を上述した各反射ミラーを介してＣＣＤ４４上に結像させるための光学レンズ４３、およびＣＣＤ素子４４から構成される。
【００３０】
スキャナ部３１は、ＡＤＦ３６とスキャナーユニット４０の関連した動作により、原稿載置台３５上に読み取るべき原稿を順次載置させながら、原稿載置台３５の下面に沿ってスキャナユニット４０を移動させて原稿画像を読み取るように構成されている。
【００３１】
特に第１走査ユニット４０ａは、原稿載置台３５に沿って左から右へ一定速度Ｖで走行させられ、また第２走査ミラーユニット４０ｂは、その速度Ｖに対してＶ／２の速度で同一方向に平行に走査制御される。
【００３２】
これにより、原稿載置台３５上に載置された原稿の画像を１ライン毎に順次ＣＣＤ４４へと結像させて画像を読み取ることとなる。
【００３３】
原稿画像をスキャナユニット４０にて読み取ることにより得られた画像情報は、後述するメイン画像処理ボードとサブ画像処理ボードへ送られ、各種画像処理が施された後、画像処理ボードのメモリに一旦記憶され、出力指示に応じてメモリ内の画像を読み出してレーザー記録部３２に転送し、記録シート上に画像を形成させる。
【００３４】
このレーザー記録部３２は画像を形成させるための記録材であるシートＰの搬送系３３、レーザー書き込みユニット４６、および画像を形成するための電子写真プロセス部４７を備えている。
【００３５】
レーザー書き込みユニット４６は、上述したスキャナユニット４０にて読み取った後のメモリから読み出した画像情報または外部の装置から転送されてきた画像情報に応じてレーザー光を出射する図示しない半導体レーザー光源、レーザー光を等角速度偏向する図示しないポリゴンミラー、等角速度で偏向されたレーザー光が電子写真プロセス部４７を構成する感光体ドラム４８上で等角速度偏向されるように補正する図示しないｆ−θレンズなどを有している。
【００３６】
電子写真プロセス部４７は、周知である感光体ドラム４８の周囲に帯電器、現像器、転写器、剥離器、クリーニング器、除電器を備えている。
【００３７】
一方、シートＰの搬送系は、上述した画像形成を行う電子写真プロセス部４７の特に転写器が配置された転写位置へとシートＰを搬送する搬送部３３、該搬送部３３へとシートＰを送り込むためのカセット給紙装置５１、５２または、必要なサイズのシートを適宜給紙するための手差し給紙装置５４、転写後のシートＰに形成された画像、特にトナー像を定着するための定着器４９、定着後のシートＰの裏面に再度画像を形成するためにシートＰを再供給するための再供給経路及び両面ユニット５３とを備えている。
【００３８】
また、定着器４９の下流側には、画像が記録されたシートＰを受け取り、このシートＰに対して所定の処理を施すフィニッシャーやソーターからなる後処理装置３４が配置されている。
【００３９】
レーザ書き込みユニット４６及び電子写真プロセス部４７では、画像メモリから読み出された画像情報に応じて、レーザ書き込みユニット４６によってレーザ光線を走査させることにより感光体ドラム４８の表面上に静電潜像を形成し、トナーにより感光体４８上で可視像化されたトナー像は多段カセット給紙装置５１、５２のいずれかの給紙部から搬送されたシートＰ上に静電転写され定着される。
【００４０】
このようにして画像が形成されたシートＰは定着器４９から排紙ローラ５７を経由して後処理装置３４内へと搬送される。
【００４１】
（画像処理部の回路説明）
次にこのデジタル複写機３０における、読み取られた原稿画像情報に画像処理を行う画像処理部の構成及び機能について説明する。
【００４２】
図２は、図１のデジタル複写機３０を構成している各種ユニット部、画像処理部などの全体ブロック構成図を表しており、略中央に位置するメイン中央演算処理装置（ＣＰＵ）４０１により各ユニット部毎に搭載された後述するサブ中央演算処理装置（ＣＰＵ）との連携を取りながら動作管理している状態を示す図である。
【００４３】
このブロック図から分かるように、大きくは図面略右上に位置する操作パネルを管理制御するオペレーションパネルボード１００と、図面略左上に位置するデジタル複写機３０を構成する各ユニットを管理制御するマシンコントロールボード２００と、図面略左下に位置する原稿画像を電気的に読み取り電子データとするＣＣＤ３０１（４４）から構成されるＣＣＤボード３００と、ＣＣＤボード３００にて電子データ化された原稿画像に対して所定の画像処理を施し図面略中央に位置するメイン画像処理ボード４００と、このメイン画像処理ボード４００にて処理された画像情報に対してさらに所定の画像処理を施すサブ画像処理ボード５００と、さらに、図面略右下に位置するサブ画像処理ボード５００にインターフェイスを介して接続されたその他の拡張ボード群６００（プリンタボード６０１、機能拡張ボード６０２、ＦＡＸボード６０３）などから構成されている。なお、ここでいうＣＣＤ３０１（４４）の（４４）とは図２のＣＣＤ３０１が他の図面である図１のＣＣＤ４４に対応することを意味しており、以下の記載でも括弧内の数字は順不同で同様の意味を表しているものとする。
【００４４】
以下、各ボード毎に管理制御している内容について説明する。
【００４５】
（オペレーションパネルボード）
オペレーションパネルボード１００は、基本的にサブの中央演算処理装置（ＣＰＵ）１０１により制御されており、操作パネル１０３上に配置されたＬＣＤ表示部１０４の表示画面、各種モードに関する指示を入力する操作キー群１０５のからの操作入力などを管理している。
【００４６】
そして操作キー群１０５から入力されたデータ、ＬＣＤ画面に表示させる情報など操作パネルにおける各種制御情報を記憶しておくメモリ１０２が設けられている。
【００４７】
この構成において、サブの中央演算処理装置（ＣＰＵ）１０１は、メインの中央演算処理装置（ＣＰＵ）４０１と制御データの通信を行い、デジタル複写機３０の動作指示を行う。
【００４８】
また、メインの中央演算処理装置４０１からは、デジタル複写機３０の動作状態を示す制御信号をサブの中央演算処理装置（ＣＰＵ）１０１へと転送することで、操作パネル１０３のＬＣＤ表示部１０４を通して装置が現在どのような動作状態にあるのかをオペレーターへ表示するようになっている。
【００４９】
（マシンコントロールボード）
マシンコントロールボード２００は、サブの中央演算処理装置２０１により全体が制御されており、ＡＤＦ・ＲＡＤＦなどの自動原稿送り装置２０３（３６、以降ＡＤＦの記載で統一する）、原稿画像を読み取る読取スキャナ部２０４（３１）、画像情報を画像として再現するプロセス部２０５（４８）、画像が記録される用紙を収納部からプロセス部２０５（４８）へ向かって順次搬送する給紙搬送部２０６（３３）、画像が記録された用紙を反転させて用紙の両面に画像が形成されるように用紙を反転搬送する両面ユニット２０７（５３）、画像が記録された用紙に対してステープルなどの後処理を行うフィニッシャ２０８（３４）などを管理している。
【００５０】
（ＣＣＤボード）
ＣＣＤボード３００は、原稿画像を電気的に読み取るためのＣＣＤ３０１（４４）、ＣＣＤ３０１（４４）を駆動する回路（ＣＣＤゲートアレイ）３０２、ＣＣＤ３０１（４４）から出力されるアナログデータのゲイン調整などを行うアナログ回路３０３、ＣＣＤ３０１（４４）のアナログ出力をデジタル信号に変換して電子データとして出力するＡ／Ｄ変換器３０４などから構成され、制御管理はメインの中央演算処理装置４０１により行われている。
【００５１】
（メイン画像処理ボード）
メイン画像処理ボード４００は、メインの中央演算処理装置４０１により制御され、ＣＣＤボード３００から送られてきた原稿画像の電子データをもとに、画像の階調性を所望の状態で表現できるように、シェーディング補正、濃度補正、領域分離、フィルタ処理、ＭＴＦ補正、解像度変換、電子ズーム（変倍処理）、ガンマ補正など多値の画像情報の状態のまま処理を施す多値画像処理部４０２、処理が施された画像情報あるいは処理の手順管理など各種制御情報を記憶させておくメモリ４０３、処理が施された画像情報でもって画像を再現するためにレーザ書き込みユニット４６側へとデータを転送制御するレーザコントロール４０４などから構成される。
【００５２】
（サブ画像処理ボード）
サブ画像処理ボード５００は、メイン画像処理ボード４００とコネクタ接続され、メイン画像処理ボード４００上のメインの中央演算処理装置４０１により制御された、２値画像処理部５０１、画像処理の施された２値画像情報、あるいは処理上での制御情報などを記憶管理するメモリおよびメモリを制御するゲートアレイ５０２、複数枚の原稿画像情報を記憶管理しておき、複数枚の原稿画像を繰り返し所望部数の数だけ読み出して複数の複写物を生成するためのハードディスクおよびハードディスクを制御するゲートアレイ５０３、外部インターフェイスとしてのＳＣＳＩおよびＳＣＳＩを制御するゲートアレイ５０４などから構成される。
【００５３】
また、２値画像処理部５０１は、多値画像情報を２値画像に変換する多値２値変換処理部、画像を回転する画像回転処理部、２値画像の変倍処理を行う２値変倍（ズーム）処理部などから構成され、さらに、通信手段を介してファックス画像を送受信するためのファックスインターフェイス部も備えている。
【００５４】
（拡張ボード）
拡張ボード６００としては、パーソナルコンピュータなどから送られてくるデータをデジタル複写機のプリンタ部からプリンタモードとして出力可能とするためのプリンタボード６０１、デジタル複写機の編集機能を拡張してデジタル複写機の特徴を有効活用するための機能拡張ボード６０２、デジタル複写機のスキャナ部から読み込んだ原稿画像を相手先に対して送信したり、相手先から送られてきた画像情報をデジタル複写機のプリンタ部から出力することを可能にするファクシミリボード６０３などがある。
【００５５】
以下にデジタル複写機の画像処理装置として、コピー、ファックス、プリンタの各モードを実行する際の画像情報処理や画像情報の流れに関する詳細説明を行う。
【００５６】
（コピーモード）
デジタル複写機３０のＡＤＦ３６（２０３）の所定位置にセットされた原稿は、１枚ずつスキャナユニット４０（２０４）の原稿載置台３５上へと順次供給され、原稿の画像は先述のスキャナユニット４０（２０４）の構成により順次読み取られ、８ビットの電子データとしてメイン画像処理ボード４００へ転送される。
【００５７】
メイン画像処理ボード４００に転送された８ビットの電子データは、８ビットの電子画像データとして多値画像処理部４０２上で所定の処理が施される。
【００５８】
そして、８ビットの電子画像データにガンマ補正などの処理を行い、レーザーコントロール部４０４を介してレーザー書き込みユニット４６へと送られる。
【００５９】
これにより、スキャナ部３１（２０４）にて読み取られた原稿画像は、レーザー記録部３２より、階調性のあるコピー画像として出力される。
【００６０】
（コピーモードにおける電子ＲＤＨ機能）
同じくデジタル複写機３０のＡＤＦ３６（２０３）の所定位置にセットされた原稿は、１枚ずつスキャナユニット４０（２０４）の原稿載置台３５上へ順次供給され、原稿の画像は先述のスキャナユニット４０（２０４）の構成により順次読み取られ、８ビットの電子データとしてメイン画像処理ボード４００へ転送される。
【００６１】
メイン画像処理ボード４００に転送された８ビットの電子データは、８ビットの電子画像データとして多値画像処理部４０２上で所定の処理が施される。
【００６２】
そして、この８ビットの電子画像データは、次にメイン画像処理ボード４００側のコネクタ４０５からサブ画像処理ボード５００側のコネクタ５０５を介してサブ画像処理ボード５００側に送られ、２値画像処理部５０１の多値２値変換部において誤差拡散などの処理と共に８ビットの電子画像データから２ビットの電子画像データに変換される。
【００６３】
なお、８ビットの電子画像データを誤差拡散などの処理を含めて２ビットの電子画像データに変換しているのは、単純に多値２値変換を行っただけでは画質的に問題が生じることがあるので、画質の劣化が少なくなるように配慮しているためであり、さらに画像の記憶容量などを考慮したためでもある。
【００６４】
以上のように変換された２ビットの電子画像データは、原稿１枚毎にハードディスクなどのディスクメモリ５０３へと転送されて一時的に記憶管理される。
【００６５】
デジタル複写機３０のＡＤＦ３６（２０３）にセットされた原稿群の全てが読み取り処理されると、一時的にハードディスク５０３に記憶された２ビットの電子画像データはゲートアレイの制御により指定された部数分だけ繰り返し読み出され、読み出された２ビットの電子画像データは、再度コネクタ接続部４０５、５０５を介してメイン画像処理ボード４００へ送られ、ガンマ補正などの処理を行い、レーザーコントロール部４０４を介してレーザー書き込みユニット４６へ送られる。
【００６６】
なお、上記説明では、全ての原稿群の画像が読み取られてから画像群を所望する部数の数だけ繰り返し読み出すようにして説明したが、１部目の画像出力は所定分の画像が準備できた段階で順次出力するように構成することも可能である。
【００６７】
これにより、デジタル複写機３０のスキャナ部３１（２０４）にて読み取られた原稿画像は、レーザー記録部３２から階調性のあるコピー画像として出力される。
【００６８】
（プリンタモード）
パーソナルコンピュータなどのネットワーク接続された外部機器から送られてきた画像は、プリンタボード６０１上でページ単位の画像としてボード６０１上で展開された後、インターフェイスであるＳＣＳＩ５０４から一旦サブ画像処理ボード５００側へ転送されハードディスク５０３などのメモリへと記憶される。
【００６９】
なお、プリンターボード６０１上でページ画像として展開された画像は、サブ画像処理ボード５００側に送られるが、ページ画像に２値画像処理は行わず、ハードディスク５０３に一時記憶されるだけである。
【００７０】
また、一旦記憶されたページ画像がハードディスク５０３から読み出される時も、ページ画像に対する２値画像処理は行わない。
【００７１】
そしてハードディスク５０３へ一時記憶された画像情報は、所定のページ順となるようにハードディスク５０３から読み出されながらメイン画像処理ボード４００へと送られてガンマ補正を行い、レーザコントロール４０４からレーザー書き込みユニット４６にて画像を再現するよう画像の書き込みが制御される。
【００７２】
（ファックスモード）
ファックスモードには、相手先に対する原稿の送信と、相手先からの原稿の受信に対する処理がある。
【００７３】
まず相手先に対する原稿の送信について説明すると、デジタル複写機３０のＡＤＦ３６（２０３）の所定位置にセットされた送信原稿は、１枚ずつスキャナユニット４０（２０４）の原稿載置台３５上へと順次供給され、送信原稿の画像は先に説明したスキャナユニット４０（２０４）の構成により順次読み取られ、８ビットの電子データとしてメイン画像処理ボード４００へと転送される。
【００７４】
メイン画像処理ボード４００に転送された８ビットの電子データは、８ビットの電子画像データとして多値画像処理部４０２上で所定の処理が施される。
【００７５】
そして、この８ビットの電子画像データは、次にメイン画像処理ボード４００側のコネクタ４０５からコネクタ５０５を介してサブ画像処理ボード５００側に送られ、２値画像処理部５０１の多値２値変換処理部において誤差拡散などの処理と共に８ビットの電子画像データから２ビットの電子画像データに変換される。
【００７６】
なお、８ビットの電子画像データを誤差拡散などの処理を含めて２ビットの電子画像データに変換しているのは、ただ多値２値変換を行っただけでは画質的に問題が発生する恐れがあるので、画質の劣化が少なくなるように配慮しているものである。
【００７７】
このようにして２値画像化された送信原稿は、所定の形式で圧縮されメモリ５０２に記憶される。
【００７８】
そして相手先との送信手続きを行い送信可能な状態が確保されると、メモリ５０２から読み出され所定の形式で圧縮された送信原稿画像はファックスボード６０３側へと転送され、このファックスボード６０３上で圧縮形式の変更など必要な処理を施して、相手先に対して通信回線を介して順次送信されることとなる。
【００７９】
次に相手先から送信されてきた原稿画像の処理について説明する。
【００８０】
相手先から通信回線を介して原稿が送信されてくると、ファックスボード６０３での通信手続きを行いながら相手先から送信されてくる原稿画像を受信すると共に、所定の形式に圧縮された状態の受信画像は、サブ画像処理ボード５００の２値画像処理部５０１に設けられたファックスインターフェイスから２値画像処理部５０１へと送られ、圧縮伸張処理部などによりページ画像として送信されてきた原稿画像を再現する。
【００８１】
そして、ページ単位の画像として再現された原稿画像は、メイン画像処理ボード４００側へと転送された後にガンマ補正され、レーザコントロール４０４からレーザー書き込みユニット４６にて画像を再現するよう画像の書き込みが制御される。
【００８２】
以上の構成から分かるように、画像情報に所定の処理を施す画像処理部は、主としてスキャナ部３１（２０４）から読み取り入力された原稿画像を多値の画像情報として処理するメイン画像処理ボード４００と、このメイン画像処理ボード４００にて多値画像情報として処理された原稿画像情報に対して２値化処理など所定の処理を施したり、外部インターフェイスを介して接続された機器から送られてきた画像情報に対して所定の処理を施した後、多値画像処理部（メイン画像処理ボード４００）側へと転送したりするサブ画像処理ボード５００とに分割構成されている。
【００８３】
また、メイン画像処理ボード４００には、画像をレーザー書き込みユニット４６から電子写真プロセスの感光体４８上に再現させるため、レーザ書き込みユニット４６の画像情報の書き込みを制御するためのレーザーコントロール４０４が含まれている。
【００８４】
この構成により、スキャナ部３１（２０４）から読み取り入力された原稿画像は、多値画像として原稿が有する画像の特徴を損なうことなくレーザー記録部３２からコピー画像として再現可能であり、大量の原稿を高速出力処理する場合などは、サブ画像処理ボード５００、ハードディスク５０３などを用いることで再現可能となっている。
【００８５】
また、ファックス、プリンタなど外部機器からの画像情報に対する処理および出力、ファックスに限ってはさらに、多値画像処理が施された（原稿画像の特徴が保たれた）送信原稿に対する２値化処理など、デジタル複写機３０として備えられたデジタルの特徴機能に合わせて画像情報に適切な処理を施すことが可能な構成となっている。
【００８６】
さらに、画像処理部を分散させることで、デジタル複写機３０のバリエーション（商品ラインナップ）を多種多様揃えることが可能であり、ユーザーの要望に合わせてデジタル複写機を設置することができ、また、設置後もユーザーの要望に合わせてシステム展開を簡単にはかることが可能である。
【００８７】
また、メイン画像処理ボード４００上に配置された中央演算処理装置４０１は、上述の通りサブ画像処理ボード５００をも管理制御しているので、それぞれの処理部において、連続して処理される画像全体の流れが管理され、データおよび処理の流れもスムーズとなり、画像情報が失われることもない。
【００８８】
（操作パネル部）
図３は、デジタル複写機３０における操作パネルユニット７５（１０３）を表したものであり、操作パネル７５（１０３）の中央部分にはタッチパネル液晶表示装置６（１０４）が配置されていて、その周囲にも各種モード設定キー群が配置されている。
【００８９】
このタッチパネル液晶表示装置６（１０４）の画面上には、常時各種モードを選択するための基本スタート画面が表示されており、必要に応じて所望するモードの指示に関するエリアを指で直接押圧操作することにより、各種モード選択が指示できるように液晶画面が順次遷移するようになっている。
【００９０】
その表示された各種モードの中から、オペレーターが所望する機能が表示されている領域を指で触れることにより、編集機能を設定することができる。
【００９１】
操作パネル７５（１０３）上に配置された各種設定キー群について簡単に説明すると、まず液晶表示装置６（１０４）の略中央部にはデジタル複写機の概観図が表示されており、概観図の下方にはコピー濃度を設定するコピー濃度設定キー７、用紙サイズを設定する用紙サイズ設定キー８、複写倍率を設定する倍率設定キー９が設けられている。
【００９２】
また操作パネル７５（１０３）上には、原稿画像を編集する編集モード設定画面に液晶画面を遷移させる特別機能モードキー１０、両面複写モードに移行させて処理モードを設定するための設定画面に液晶表示画面６（１０４）を遷移させる両面複写モードキー１１、ソータ・ステープルなどのアウトプットモードの指示画面に液晶表示画面６（１０４）を遷移させるためのキー１２、現在設定されているモードの内容を確認するための設定確認キー１３がそれぞれ配置されている。
【００９３】
さらに、操作方法などのガイダンス情報を画面に表示させるための操作ガイドキー１４、操作ガイドキー１４の操作により液晶表示部６上に表示されたガイダンス情報を上下方向にスクロールさせてガイダンス情報全体を表示確認するためのスクロールキー１４１、１４２、複写枚数などの数値情報を入力するためのテンキー１５、現在処理中の複写モードに新たな複写モードを割り込ませて処理させるための割り込みキー１６、テンキーなどにより入力されている条件をクリアするクリアキー１７、デジタル複写機の状態をすべてクリアして標準の状態に復帰させるためのオールクリアキー１８、これらキーにより設定されたモードにおいて処理の開始を指示するためのスタートキー１９が設けられている。
【００９４】
次いで操作パネル７５の左側に配置された３つのキー群は、上から順にファックスモード、プリンタモード、コピーモードにデジタル複写機を切り換えて動作させるためのファックスモードキー２０、プリンタモードキー２１、コピーモードキー２２である。
【００９５】
ここで、操作パネル７５（１０３）の各種キーは図２の操作キー１０５として示されている。
【００９６】
なお、上述の操作パネル及びその操作パネル上に配置される各種キーは、あくまでも１実施例として説明したものであり、デジタル複写機に搭載される各種機能によって操作パネル上に設けられるキーは異なってくることはいうまでもない。
【００９７】
図４は、画像情報に関する情報を入力された画像情報毎に管理する管理テーブル７００を表したものであり、この管理テーブル７００はさらに、画像入力テーブル７０１、画像処理テーブル７１０、画像出力テーブル７２０の３つから構成されている。
【００９８】
なお本実施例で説明する管理テーブル７００は、画像１つにつき１つの管理テーブルが準備されるものであり、この管理テーブル７００には、入力画像の特徴に関する情報と画像に対する処理に関する情報などが設定管理されている。
【００９９】
以下に、管理テーブル７００を構成する３つのテーブルについて説明する。
【０１００】
（画像入力テーブル）
画像入力テーブル７０１は、スキャナ部２０４（３１）、ファックスボード６０３、プリンタボード６０１などから入力される画像情報単位で画像情報に関する情報および処理情報を管理するものである。
【０１０１】
図４を使って詳細に説明すると、左側から順に原稿ＩＤ情報７０２、原稿表裏情報７０３、原稿サイズ情報７０４、倍率情報７０５、読込み枚数情報７０６、入力要求情報７０７、入力完了情報７０８などの各種情報を管理するようになっている。
【０１０２】
原稿ＩＤ情報７０２は、入力されてくる原稿画像あるいは受信画像を１ページ単位で識別するための識別番号であり、原稿表裏情報７０３は、入力された画像が原稿の表側画像なのか裏側画像なのか管理している。
【０１０３】
次に原稿サイズ情報７０４は、入力された画像情報のサイズ情報であり、倍率情報７０５は、入力画像情報に対して変倍処理を行う場合の倍率変換情報である。
【０１０４】
さらに読込枚数情報７０６は、スキャナ部２０４（３１）などの入力部から１ページ分の画像情報としていくつの画像情報を取り込むか管理しておくもので、入力要求情報７０７は、メイン画像処理ボード４００やサブ画像処理ボード５００からなる画像処理部、レーザー書き込みユニット４６等からなる画像記録部など画像情報を処理する側から、画像情報に対する所定の処理が可能な状態にあるとして画像情報の転送要求があったことを管理しており、入力完了情報７０８は、画像入力部から１ページ分の画像情報として入力が完了したか（メモリ４０３やメモリ５０２等の画像メモリに記憶されたか）を管理している。
【０１０５】
（画像処理テーブル）
画像処理テーブル７１０は、画像情報毎に施すべき画像処理の内容、および画像処理が施された画像情報に関する情報が管理されている。
【０１０６】
図４を使って詳細に説明すると、左側から順に画像ＩＤ情報７１１、処理情報７１２、処理ＩＤ情報７１３、処理完了情報７１４などの各種情報を管理するようになっている。
【０１０７】
画像ＩＤ情報７１１は、入力された画像情報を１ページ単位で識別するための識別番号であり、処理情報７１２は、入力された画像情報１ページ毎に処理する内容を管理している。
【０１０８】
次に処理ＩＤ情報７１３は、処理情報に基づいて処理が行われ、１ページの出力画像情報としてメモリ４０３やメモリ５０２等で展開された画像メモリの位置情報（アドレスなど）を管理しており、処理完了情報７１４は、入力された画像情報に対して指示された画像処理が完了したかを管理している。
【０１０９】
（画像出力テーブル）
画像出力テーブル７２０は、処理が施された画像情報の出力に関する情報をページ単位で管理している。
【０１１０】
図４を使って詳細に説明すると、左から順に出力画像ＩＤ情報７２１、用紙表裏情報７２２、印字サイズ情報７２３、印字枚数情報７２４、出力要求情報７２５、出力完了情報７２６、メモリ開放情報７２７、出力ＩＤ情報７２８など各種情報を管理するようになっている。
【０１１１】
出力画像ＩＤ情報７２１は、処理が施された画像情報を１ページ単位で識別するための識別番号であり、用紙表裏情報７２２は、画像が用紙の表と裏のどちら側に記録されるものなのかを管理するものであり、印字サイズ情報７２３は、画像が記録されるべき大きさ（用紙サイズ）を管理している。
【０１１２】
次に印字枚数情報７２４は出力すべき画像情報の数であり、出力要求情報７２５は出力部側からの画像情報要求指示が合ったかどうかを管理している。
【０１１３】
さらに、出力完了情報７２６は画像処理後の画像情報が指示どおり出力されたか管理しておくもので、メモリ解放情報７２７は画像情報の出力が完了したとして、画像メモリを解放しても問題ないことを表し、出力ＩＤ情報７２８は、印字すべき最終画像が記憶管理されている画像メモリの位置情報（アドレスなど）が管理されている。
【０１１４】
以上が管理テーブルを構成する各管理テーブルについての詳細説明である。
【０１１５】
なお、上述した管理テーブル７００において管理される各種情報は、処理システムとして必要な情報があれば、管理項目として増やすことは容易（自在）であり、画像処理装置の仕様等により、上述した以外の画像入力情報や画像処理情報、画像出力情報以外の情報を追加したり、省略することも可能である。
【０１１６】
さらに管理テーブル７００を構成する最適な実施形態として、デジタル複写機３０のメイン画像処理ボード４００やサブ画像処理ボード５００からなる画像処理部（ＩＣＵ：ｉｍａｇｅ  ｃｏｎｔｒｏｌ  ｕｎｉｔ）を管理するＣＰＵ４０１と、このＣＰＵ４０１により管理されたＲＡＭ（ランダムアクセスメモリ）等のメモリ４０３により構成することがあげられるが、画像処理装置内の回路配置や装置スペース、配線等の関係より、管理テーブルを例えばマシンコントロールボード２００上に構成したり、さらに各種メモリカードを含む外部記憶装置、ネットワークを介したサーバーやコントローラ等のように本体装置外に構成することも可能であることはいうまでもない。
【０１１７】
つぎに管理テーブルに管理される管理情報の実例をあげて説明を行う。
【０１１８】
（Ａ４サイズ原稿３枚：出力数２部の場合）
図５において、画像情報の入力を管理するための画像入力テーブル７０１上には、例えばＡＤＦ２０３（３６）の原稿トレイ上にＡ４サイズの３枚の原稿がセットされた段階で図５（Ａ）にあるように各種情報が管理される。
【０１１９】
まだ原稿は何枚存在するのか分からないので、原稿ＩＤ情報７０２としては「１」のみで、現在原稿サイズ検出手段により確認される原稿サイズ「Ａ４」と、複写倍率は操作パネル１０３（７５）上の倍率設定キー９で設定された「１００％」、読込枚数としては読み取られた原稿画像が画像メモリ４０３、５０２等に記憶されるので、「１」など確認された情報が管理される。
【０１２０】
そして原稿画像の入力要求により画像の入力が開始されると、１枚目以降の原稿の存在が確認される度に、新たな原稿画像を管理するためのテーブルを確保して原稿ＩＤ情報をセットしていく。
【０１２１】
この状態を表したものが図５（Ｂ）であって、入力された３枚分の原稿画像に関する情報としてそれぞれ管理される。
【０１２２】
そして３枚分の原稿画像の入力が完了すると図５（Ｃ）にあるように、原稿画像情報が入力されたことを管理する入力完了情報７０８の部分に全て「１」がセットされ、これにより原稿画像全てが入力されたことが確認される。
【０１２３】
一方画像処理部では、図６（Ａ）にあるような、原稿画像に対する処理に関する情報を管理するための画像処理テーブル７１０が確保されており、入力された画像情報毎の画像処理に関する情報などが管理されている。
【０１２４】
画像処理内容としては特別な画像処理を施すような編集指示が操作パネル１０３（７５）上から設定されていないので、処理情報７１２として管理する部分には各原稿画像に対して「スルー」とセットされている。
【０１２５】
すなわち、スキャナ部２０４（３１）から読み取り入力された原稿画像情報に対して通常の多値画像処理を行い、多値画像情報としてレーザ記録部４６から原稿のコピー画像として出力されるだけである。
【０１２６】
そして、入力された原稿画像情報に対して通常の画像処理（多値画像処理）が施され画像処理が施された画像情報が画像メモリ４０３、５０２上に準備できると、その画像メモリ４０３、５０２における画像情報の記憶位置（アドレス）情報としての処理ＩＤ情報７１３が「１」とセットされると共に、処理の完了を表す処理完了情報７１４として「１」がセットされる。
【０１２７】
このようにして入力される３枚の原稿画像情報に対する通常の画像処理（多値画像処理）が完了すると、図６（Ｂ）にあるように、それぞれの画像情報が記憶管理されている画像メモリ４０３、５０２の位置情報（アドレス）が処理ＩＤ情報として、それぞれ「２」、「３」がセットされ、処理完了情報７１４としてそれぞれ「１」がセットされる。
【０１２８】
これにより入力された画像情報全てに対して指示された画像処理が施されたことが確認されると共に、画像情報として画像メモリ４０３、５０２のどの位置に記憶されているか確認できる。
【０１２９】
そして最後に、このようにして完成された画像情報を最終的に記録部か３２から画像として再現出力するために、図７にあるような画像の出力を管理する画像出力テーブル７２０を備えている。
【０１３０】
上記画像処理テーブル７１０に管理されている画像処理に関する情報に基づいて処理された画像情報を画像記録部３２から出力するために、画像出力テーブル７２０においても出力される画像単位毎に管理テーブルを作成する。
【０１３１】
まず図７（Ａ）にあるように、出力される画像毎に出力画像ＩＤ情報７２１をセットして、操作パネル１０３（７５）上から指示された両面記録、片面記録、用紙サイズ、出力枚数などの各種出力条件をそれぞれセットして出力準備を行う。
【０１３２】
次に、画像出力部３２から出力準備が出来たとして出力要求を指示する信号が確認されると、図７（Ｂ）にあるように、出力要求情報７２５として出力要求があったことを表す信号がセットされ、指示された出力条件に応じて順次画像情報の出力が行われる。
【０１３３】
この画像情報の出力は、上記画像処理テーブル７１０において管理されている画像情報が記憶されている画像メモリ４０３、５０２の位置情報（処理ＩＤ）と対応し、指示された出力条件により確定された画像出力順序に対応する出力ＩＤ情報７２８に基づいて行われるものであり、出力画像１として出力ＩＤ情報１の画像が、出力画像２として出力ＩＤ情報２の画像が、出力画像３としては出力ＩＤ情報３の画像が、この順番で出力される。
【０１３４】
そして画像情報の出力が完了すると、画像メモリ４０３、５０２の開放、すなわち画像情報の画像メモリからのクリア指示を許可する情報７２７がセットされる。
【０１３５】
最後に図７（Ｃ）は、出力画像として画像メモリ４０３、５０２に確定されていた画像情報を全て出力したときの画像出力テーブル７２０を表したものである。
【０１３６】
なお、今回の説明では出力部数が「１」であったために、画像の出力が確認された段階で画像メモリ４０３、５０２からの画像のクリアを許可する情報がセットされていたが、印字枚数情報７２４として複数部数の情報がセットされている時は、出力ＩＤ情報７２８に基づいて画像メモリ４０３、５０２に記憶されている画像情報を「１」「２」「３」の順番で３回繰り返し読み出した後に、メモリ解放情報７２７として画像情報のクリアを許可する情報がセットされるものである。
【０１３７】
次に画像編集モードとして、「合成モード」がセットされた場合の管理テーブルの状況について説明する。
【０１３８】
入力される画像情報を管理する画像入力テーブル７０１としては、図５の説明と同じように原稿サイズＡ４の原稿が３枚ＡＤＦ２０３（３６）にセットされ、スキャナ部２０４（３１）から順次入力されるものとして説明するので、図８にあるように画像入力テーブル７０１として図５の画像入力テーブル７０１と同じように作成される。なお画像入力テーブル７０１の作成手順については、全く同じであるので説明は省略する。
【０１３９】
次に画像処理テーブル７１０としては図９（Ａ）にあるように、操作パネル１０３（７５）上から指示されたモードに応じて作成されるもので、例えば原稿の１枚目と２枚目が１つの画像として合成され、３枚目の原稿はそのままのコピーとして出力するモードが指示されているものとして説明する。
【０１４０】
１枚目の原稿画像である画像ＩＤ情報７１１の画像に対しては、画像ＩＤ情報「２」の画像情報と合成されることを意味する情報「合成２」が処理情報７１２としてセットされており、２枚目の原稿画像である画像ＩＤ情報７１１の画像に対しては、画像ＩＤ情報「１」の画像情報と合成されることを意味する情報「合成１」が処理情報７１２としてセットされている。
【０１４１】
また、３枚目の原稿画像である画像ＩＤ情報７１１の画像に対しては、そのままのかたちで通常の多値画像処理を行い出力するように、「スルー」の情報が処理情報７１２としてセットされている。
【０１４２】
次にこの情報に基づいて画像情報毎に画像処理（編集）を行うこととなる。
【０１４３】
今回は１枚目の原稿画像と２枚目の原稿画像が１つの画像として合成されるので、画像ＩＤ情報「１」と「２」の画像情報を新たな画像メモリ４０３、５０２上で１つの画像として再現処理し、この画像メモリ４０３、５０２の位置情報として処理ＩＤ情報７１３として「４」がセットされる。
【０１４４】
次に、画像処理テーブル７１０に管理されている画像処理に関する情報に基づいて、処理された画像情報を画像記録部３２から出力するために、画像出力テーブル７２０においても出力される画像単位毎に管理テーブルを作成する。
【０１４５】
まず図１０（Ａ）にあるように、出力される画像毎に出力画像ＩＤ情報７２１をセットして、操作パネル１０３（７５）上から指示された両面記録、片面記録、用紙サイズ、出力枚数などの各種出力条件をそれぞれセットして出力準備を行う。
【０１４６】
次に、画像出力部３２から出力準備が出来たとして出力要求を指示する信号が確認されると、図１０（Ｂ）にあるように、出力要求情報７２５として出力要求があったことを表す信号がセットされ、指示された出力条件に応じて順次画像情報の出力が行われる。
【０１４７】
この画像情報の出力は、上記画像処理テーブル７１０において管理されている画像情報が記憶されている画像メモリ４０３、５０２の位置情報（処理ＩＤ）と対応し、指示された出力条件により確定された画像出力順序に対応する出力ＩＤ情報７２８に基づいて行われるものであり、出力画像１としては出力ＩＤ情報４の画像が、そして出力画像２としては出力ＩＤ情報３の画像が、この順番で出力される。
【０１４８】
そして画像情報の出力が完了すると、画像メモリ４０３、５０２の開放、すなわち画像情報の画像メモリ４０３、５０２からのクリア指示を許可する情報がセットされる。
【０１４９】
さらに他の実施例として、デジタル複写機３０のファクシミリ送信時の管理テーブルについて説明する。
【０１５０】
ＡＤＦ２０３（３６）にセットされた原稿の画像は、先の実施例で説明したように順次搬送されスキャナ部２０４（３１）により読み取られ、図５、図８と同じ画像入力テーブル７０１が作成される（図１１参照）。
【０１５１】
次に画像処理テーブル７１０として図１２（Ａ）にあるように、入力された原稿画像をファクシミリ送信画像に変換するために、画像ＩＤ情報７１１「１」「２」「３」として管理されている画像情報にそれぞれ２値化処理を行うようにセットする。
【０１５２】
この図１２（Ａ）に管理されている処理情報７１２に基づいて入力された原稿画像情報に対して２値化処理が施されると、図１２（Ｂ）にあるように処理が完了した画像として画像メモリ４０３、５０２へ「４」「５」「６」の情報が記憶されると共に、画像メモリ４０３、５０２に処理後の画像として記憶されたことが処理ＩＤ情報７１３に管理される。
【０１５３】
そして、最後に画像出力テーブル７２０として、画像メモリ４０３、５０２内に記憶されている画像情報をファクシミリ送信するために出力画像ＩＤ情報７２１として出力すべき画像の順番でセットしておき（図１３（Ａ））、ファクシミリ送信の準備が完了したとして出力要求信号が確認されると、図１３（Ｂ）にあるように出力要求情報７２５としてそのことをセットしておき、相手先ファクシミリ装置との送信に基づいて画像の出力を行う。
【０１５４】
そして全送信の完了が確認されるとメモリ開放情報７２７としてクリアを許可する情報をセットしている。
【０１５５】
以上がコピーモードおよびファクシミリモードにおける送信時の管理テーブルの状況であるが、外部装置から入力されたページ単位の画像を出力処理するプリンタモードにおいても応用が可能であって、この入力されたページ単位の画像情報毎に画像入力テーブル７０１、画像処理テーブル７１０、画像出力テーブル７２０などを作成して、画像の入力から出力まで管理するようにすることも可能である。
【０１５６】
さらに、本実施例では、画像処理として通常のコピーモードや画像合成モード、ファックスモード等を説明しているが、本発明でいう画像処理とは上記モードのみに限定されるものではなく、例えば拡大縮小モードや画像つなぎあわせモード、マスキング／トリミングモード、回転モード等の各種画像処理が適用可能であることは勿論である。
【０１５７】
【発明の効果】
請求項１又は２に記載の画像処理装置によれば、画像入力テーブル及び画像処理テーブル上、又は画像出力テーブル及び画像処理テーブル上に記憶されている画像の制御情報に基づいて画像情報に対する画像処理を施すので、入出力される画像情報毎に適切な画像処理が行えるように制御できると共に、画像情報の入出力が確実に行えなかった画像情報に対して無駄な画像処理を行わないように制御できる。
【０１５８】
また例えば、トラブルにより画像情報の入出力が中断した場合、１ページ分の画像情報として入出力が完了した画像情報まで指示された画像処理を行い、入出力されなかった画像情報を確定してその段階から画像入出力と画像処理の再開を指示することも可能となり、信頼性の高い画像処理が可能となる。
【０１５９】
さらに、画像処理装置に外部装置から入力されたページ単位の画像を出力処理するプリンタモードや、ファクシミリやパーソナルコンピュータ等の外部機器から画像情報を受信するモードを有する場合についても上記効果が期待できる。
【０１６０】
請求項３記載の画像処理装置は、例えばデジタル複写機等の画像読み取り部を有する機器の場合であっても同様の効果を奏することができる。
【０１６３】
請求項４に記載されている発明によれば、画像入力テーブル及び画像処理テーブル上に記憶されている画像の制御情報に基づいて画像処理が行われた画像に関する情報を記憶するテーブルを新たに作成し、斯かる情報により画像を出力するので、複数の画像情報が入力されたとしても、またデジタル複合複写機など画像入力系統が複数あったとしても、入力された画像情報に対して適切な画像処理が行えると共に、処理が施された画像情報を入力系統毎に出力することができ、結果として画像の入力から画像の処理、さらには画像の出力まで確実に画像処理を行うことが可能となる。
【図面の簡単な説明】
【図１】本発明の入力装置を備えたデジタル複写機の全体の構造を示す断面図である。
【図２】デジタル複写機の画像処理部における回路構成、および全体の制御部構成を示すブロック構成図である。
【図３】デジタル複写機における操作パネル部分の一例を示す平面図である。
【図４】入力される画像に関する情報を管理する管理テーブルの一例を示す図である。
【図５】入力画像を管理するための画像入力テーブルを準備する工程表す図である。
【図６】入力された画像情報に対して施される画像処理に関する情報を管理するための画像処理テーブルを準備する工程を表す図である。
【図７】画像処理が施された画像情報に関する情報を管理するための画像出力テーブルを準備する工程を表す図である。
【図８】入力画像を管理するための画像入力テーブルを準備する工程を表す図である。
【図９】入力された画像情報に対して施される画像処理に関する情報を管理するための画像処理テーブルを準備する工程を表す図である。
【図１０】画像処理が施された画像情報に関する情報を管理するための画像出力テーブルを準備する工程を表す図である。
【図１１】ファックスモード時における入力画像を管理するための画像入力テーブルを準備する工程を表す図である。
【図１２】入力された画像情報に対して施される画像処理に関する情報を管理するための画像処理テーブルを準備する工程を表す図である。
【図１３】画像処理が施された画像情報に関する情報を管理するための画像出力テーブルを準備する工程を表す図である。
【符号の説明】
３６  ＡＤＦ
４６  レーザー書き込みユニット
７５  操作パネルユニット
４００  メイン画像処理ボード
４０１  ＣＰＵ
４０３  メモリ
５００  サブ画像処理ボード
５０２  メモリ
７００  管理テーブル
７０１  画像入力テーブル
７０２  原稿ＩＤ情報
７０３  原稿表裏情報
７０４  原稿サイズ情報
７０５  倍率情報
７０６  読込み情報
７０７  入力要求情報
７０８  入力完了情報
７１０  画像処理テーブル
７１１  画像ＩＤ情報
７１２  処理情報
７１３  処理ＩＤ情報
７１４  処理完了情報
７２０  画像出力テーブル
７２１  出力画像ＩＤ情報
７２２  用紙表裏情報
７２３  印字サイズ情報
７２４  印字枚数情報
７２５  出力要求情報
７２６  出力完了情報
７２７  メモリ開放情報
７２８  出力ＩＤ情報
【図１】
0003871417.tif 000002
【図２】
0003871417.tif 000003
【図３】
0003871417.tif 000004
【図４】
0003871417.tif 000005
【図５】
0003871417.tif 000006
【図６】
0003871417.tif 000007
【図７】
0003871417.tif 000008
【図８】
0003871417.tif 000009
【図９】
0003871417.tif 000010
【図１０】
0003871417.tif 000011
【図１１】
0003871417.tif 000012
【図１２】
0003871417.tif 000013
【図１３】
0003871417.tif 000014